(57)【要約】【課題】睡眠中に好適な姿勢を保つことができる枕を提供する。【解決手段】枕１０は、袋状部材１１と、該袋状部材１１に充填されたクッション材から構成されており、平面視すると略Ｌ字型となっている。袋状部材１１は、中心部１２と、中心部１２から長手方向に突出する長手部１３と、中心部１２から長手方向と略直交する短手方向に突出する短手部１４とを有する。また、クッション材としては、綿状の樹脂素材が用いられており、これらの全部又は一部は、粒綿として構成されている。そして、袋状部材１１の短手長１１ｃと長手長１１ｂとの比率は、略５：６となっている。【選択図】図１
2016002435.tif 000002
【特許請求の範囲】
【請求項１】
中心部と、該中心部から長手方向に突出する長手部と、該中心部から前記長手方向と略直交する短手方向に突出する短手部とにより、平面視すると略Ｌ字型に形成された袋状部材と、
前記袋状部材に充填されたクッション材と、
を備える枕であって、
前記長手部の付け根部分から先端までの長さを突出長とすると共に、前記中心部及び前記短手部における前記短手方向の長さを短手長とし、
前記短手長と前記突出長の比率は、ユーザの左右の肩峰の間隔と、該ユーザの第７頸椎から第１２肋骨までの長さの比率と略一致すること、
を特徴とする枕。
【請求項２】
中心部と、該中心部から長手方向に突出する長手部と、該中心部から前記長手方向と略直交する短手方向に突出する短手部とにより、平面視すると略Ｌ字型に形成された袋状部材と、
前記袋状部材に充填されたクッション材と、
を備える枕であって、
前記中心部及び前記長手部における前記長手方向の長さを長手長とすると共に、前記中心部及び前記短手部における前記短手方向の長さを短手長とし、
前記短手長と前記長手長の比率は、略５：６となっていること、
を特徴とする枕。
【請求項３】
請求項１又は請求項２に記載の枕において、
前記クッション材として、粒状の物体が用いられていること、
を特徴とする枕。
【発明の詳細な説明】
【技術分野】
【０００１】
本発明は、略Ｌ字型の枕に関する。
【背景技術】
【０００２】
ユーザの背中の右側又は左側を下方から支持する背当て枕が知られている（例えば、特許文献１）。このような背当て枕を使用して横臥すると、胸部が側方に傾斜した状態にすることができ、これにより口蓋垂や舌により気道が狭められるのを防止できるため、いびきや睡眠時無呼吸症候群等を予防することができる。
【先行技術文献】
【特許文献】
【０００３】
【特許文献１】特開２００７−３１９６５４号公報
【発明の概要】
【発明が解決しようとする課題】
【０００４】
ここで、睡眠中、頭部や頸部の姿勢を好適に保つためには、頭部用の枕を使用して頭部が持ち上げられた状態にした方が良い。
しかしながら、特許文献１に記載の背当て枕を用いてもユーザの頭部を持ち上げることはできず、睡眠をとる際、別体となっている頭部用の枕を用いる必要がある。
【０００５】
このため、睡眠中、ユーザが寝返りをした際等に背当て枕や頭部用の枕の位置がずれ、好適な姿勢を保つことができなくなる恐れがある。
本願発明は上記課題に鑑みてなされたものであり、睡眠中に好適な姿勢を保つことができる枕を提供することを目的とする。
【課題を解決するための手段】
【０００６】
上記課題に鑑みてなされた請求項１に係る発明は、中心部と、該中心部から長手方向に突出する長手部と、該中心部から長手方向と略直交する短手方向に突出する短手部とにより、平面視すると略Ｌ字型に形成された袋状部材と、袋状部材に充填されたクッション材と、を備える枕であって、長手部の付け根部分から先端までの長さを突出長とすると共に、中心部及び短手部における短手方向の長さを短手長とし、短手長と突出長の比率は、ユーザの左右の肩峰の間隔と、該ユーザの第７頸椎から第１２肋骨までの長さの比率と略一致すること、を特徴とする枕に関するものである。
【０００７】
このような構成によれば、ユーザが枕を使用し、後頭部を短手部に、片側の肩及び背中を長手部に当接させた状態で横臥すると、頭部を適切な高さに維持しつつ、胸部を側方に傾斜させた状態とすることができる。
【０００８】
このため、睡眠中、頭部や頸部の姿勢を良好にすることができると共に、筋肉の緩みにより口蓋垂や舌が垂れ下がり、気道を狭めてしまうことが無くなり、いびきや無呼吸症候群等を予防することができる。
【０００９】
また、ユーザの肩幅方向に沿って配される短手部の短手長と、ユーザの胴体に沿って配される枕の長手部の突出長の比率は、ユーザの左右の肩峰の間隔（肩幅）と、ユーザの第７頸椎から第１２肋骨までの長さ（肋骨部分の凡その高さ）の比率と略一致する。
【００１０】
このため、長手部は、その先端が横臥したユーザの腰部に達した状態で、該ユーザの胴体に沿って配され、短手部は、その先端が該ユーザの他方の肩（長手部に当接しない肩）まで達した状態で配される。
【００１１】
これにより、長手部によりユーザの片側の肩及び背中を好適に押し上げ、腰と胸部の位置関係を好適にすることができ、腰に負担を与えることが無くなる。
また、短手部により頭部及び頸部が両側から囲むように支持されるため、快適性を向上させることができると共に、短手部の側方がユーザの他方の肩に当接可能に配され、枕の位置ずれを防止することができ、より一層、好適な姿勢を維持することができる。
【００１２】
したがって、請求項１に係る枕によれば、睡眠中に好適な姿勢を保つことができる。
また、請求項２に係る発明は、中心部と、該中心部から長手方向に突出する長手部と、該中心部から長手方向と略直交する短手方向に突出する短手部とにより、平面視すると略Ｌ字型に形成された袋状部材と、袋状部材に充填されたクッション材と、を備える枕であって、中心部及び長手部における長手方向の長さを長手長とすると共に、中心部及び短手部における短手方向の長さを短手長とし、短手長と長手長の比率は、略５：６となっていること、を特徴とする枕に関するものである。
【００１３】
このような構成によれば、ユーザが枕を使用し、後頭部を短手部に、片側の肩及び背中を長手部に当接させた状態で横臥すると、頭部を適切な高さに維持しつつ、胸部を側方に傾斜させた状態とすることができる。
【００１４】
このため、睡眠中、頭部や頸部の姿勢を良好にすることができると共に、筋肉の緩みにより口蓋垂や舌が垂れ下がり、気道を狭めてしまうことが無くなり、いびきや無呼吸症候群等を予防することができる。
【００１５】
また、ユーザの肩幅方向に沿って配される短手部の短手長と、ユーザの胴体に沿って配される枕の長手部の長手長の比率は、略５：６となっている。
このような比率とすることで、長手部は、その先端が横臥したユーザの腰部に達した状態で、該ユーザの胴体に沿って配され、短手部は、その先端が該ユーザの他方の肩（長手部に当接しない肩）まで達した状態で配される。
【００１６】
これにより、長手部によりユーザの片側の肩及び背中を好適に押し上げ、腰と胸部の位置関係を好適にすることができ、腰に負担を与えることが無くなる。
また、短手部により頭部及び頸部が両側から囲むように支持されるため、快適性を向上させることができると共に、短手部の側方がユーザの他方の肩に当接可能に配され、枕の位置ずれを防止することができ、より一層、好適な姿勢を維持することができる。
【００１７】
したがって、請求項２に係る枕によれば、睡眠中に好適な姿勢を保つことができる。
なお、請求項３に記載されているように、クッション材として、粒状の物体が用いられていても良い。
【００１８】
このような構成によれば、ユーザの体型に応じて枕の形状が好適に変形し、ユーザが自ら枕の形状を整えなくても、体にフィットし易くなる。このため、ユーザの手間をかけることなく、睡眠中により好適な姿勢を保つことができる。
【図面の簡単な説明】
【００１９】
【図１】Ｌ字型枕の斜視図である。
【図２】袋状部材の平面図である。
【図３】Ｌ字型枕の使用態様を示す説明図である。
【発明を実施するための形態】
【００２０】
以下、本発明の実施形態について図面を用いて説明する。なお、本発明の実施の形態は、下記の実施形態に何ら限定されることはなく、本発明の技術的範囲に属する限り種々の形態を採りうる。
【００２１】
［構成の説明］
本実施形態の枕１０は、袋状部材１１と、該袋状部材１１に充填されたクッション材から構成されており、平面視すると略Ｌ字型となっている（図１参照）。
【００２２】
袋状部材１１は、中心部１２と、中心部１２から長手方向に突出する長手部１３と、中心部１２から長手方向と略直交する短手方向に突出する短手部１４とを有し、長手部１３と短手部１４により、平面視すると略Ｌ字型に形成されている（図２参照）。
【００２３】
なお、短手方向とは、長手方向と直交する方向に対し、所定角度（例えば、０°〜１０°程度）傾いた方向であっても良い。
クッション材としては、綿状の樹脂素材が用いられている。なお、該綿状の樹脂素材の全部又は一部は、粒綿として構成されていても良い。
【００２４】
また、クッション材として、綿状の樹脂素材に替えて、例えば、発泡ビーズ，樹脂材料のチップ，そばがら等といった粒状の物体を用いても良いし、綿などの繊維材料，羽毛等を用いても良い。
【００２５】
さらに、袋状部材１１を、図示しないバルブを介して気体や液体を充填可能な中空の浮き袋として構成し、該袋状部材１１に空気や水等を充填することで、枕１０を構成しても良い。
【００２６】
ここで、長手部１３の付け根部分から先端までの長手方向の長さを突出長１１ａとし、中心部１２及び長手部１３における長手方向の長さを長手長１１ｂとし、中心部１２及び短手部１４における短手方向の長さを短手長１１ｃとする。
【００２７】
本実施形態では、袋状部材１１のサイズは、短手長１１ｃが５６ｃｍ、長手長１１ｂが６６ｃｍ、短手部１４と長手部１３の幅（以後、横幅と記載）が３０ｃｍとなっている。
このサイズは、短手長１１ｃと突出長１１ａの比率が、平均的な体型を有するユーザの左右の肩峰の間隔（肩幅）と、該ユーザの第７頸椎から第１２肋骨までの長さ（肋骨部分の凡その高さ）の比率（上体比率）と略一致するようにしたものである。
【００２８】
このように構成された袋状部材１１は、短手長１１ｃと長手長１１ｂとの比率が、略５：６となっており、短手長１１ｃと長手長１１ｂと横幅との比率は、略５：６：３となっている。
【００２９】
そして、袋状部材１１にクッション材を充填することで構成された枕１０は、表面及び裏面の中央部分が膨らんだ形状となり、中央から縁部にかけて傾斜が形成され、中央部分の厚み（最大の厚み）が約２６ｃｍ程度となる。
【００３０】
［効果］
本実施形態の枕１０によれば、ユーザ２０が枕１０を使用し、後頭部を短手部１４に、片側の肩及び背中を長手部１３に当接させた状態で横臥すると、頭部を適切な高さに維持しつつ、胸部を側方に傾斜させた状態とすることができる（図３参照）。
【００３１】
このため、睡眠中、頭部や頸部の姿勢を良好にすることができると共に、筋肉の緩みにより口蓋垂や舌が垂れ下がり、気道を狭めてしまうことが無くなり、いびきや無呼吸症候群等を予防することができる。
【００３２】
また、枕１０の短手長１１ｃと突出長１１ａの比率は、平均的な体型を有するユーザ２０の上体比率と略一致する。より具体的には、枕１０の短手長１１ｃと長手長１１ｂの比率は、略５：６となっている。
【００３３】
このため、長手部１３は、その先端が横臥したユーザ２０の腰部に達した状態で、該ユーザ２０の胴体に沿って配され、短手部１４は、その先端が該ユーザ２０の他方の肩（長手部１３に当接しない肩）まで達した状態で配される。
【００３４】
これにより、長手部１３によりユーザ２０の片側の肩及び背中を好適に押し上げ、腰と胸部の位置関係を好適にすることができ、腰に負担を与えることが無くなる。
また、短手部１４により頭部及び頸部が両側から囲むように支持されるため、快適性を向上させることができると共に、短手部１４の側方がユーザの他方の肩に当接可能に配され、枕の位置ずれを防止することができ、より一層、好適な姿勢を維持することができる。
【００３５】
したがって、本実施形態の枕１０によれば、睡眠中に好適な姿勢を保つことができる。
［他の実施形態］
（１）本実施形態の枕１０は、クッション材として、粒状の物体や気体や液体等が用いられている。しかしながら、これに限らず、例えば、ウレタン等といったスポンジ状のクッション材を、クッション材が充填された本実施形態の袋状部材１１と同様の形状に形成し、カバーで覆うことにより、枕を構成しても良い。このような場合であっても、同様の効果を得ることができる。
【００３６】
（２）また、本実施形態の枕１０の袋状部材１１は、短手長１１ｃと突出長１１ａの比率が、平均的な体型を有するユーザの上体比率と略一致するよう構成されている。
しかし、例えば、ユーザの年齢、性別等毎に平均的な上体比率を算出すると共に、各年齢、性別等毎に枕１０を構成し、各枕１０の短手長１１ｃと突出長１１ａの比率を、対応する年齢、性別等に属するユーザの平均的な上体比率と略一致するようにしても良い。
【００３７】
こうすることにより、ユーザの体型により合致した枕を提供することができる。
（３）また、本実施形態の枕１０の袋状部材１１のサイズは、短手長１１ｃが５６ｃｍ、長手長１１ｂが６６ｃｍ、短手部１４と長手部１３の幅が３０ｃｍとなっているが、これに限定されることは無い。
【００３８】
短手長１１ｃと突出長１１ａの比率がユーザ２０の上体比率と略一致する範囲内や、短手長１１ｃと長手長１１ｂの比率が略５：６なる範囲内や、短手長１１ｃと長手長１１ｂと横幅の比率が略５：６：３となる範囲で、様々なサイズとすることができる。
【００３９】
また、袋状部材１１は、短手長１１ｃと長手長１１ｂと横幅の比率が略５：６：３となっているが、該比率はこれに限定されることは無い。
具体的には、長手長１１ｂの長さが、短手長１１ｃの長さに対し１．１〜１．３倍程度（さらに好ましくは１．１５〜１．２５倍程度）となっていると共に、横幅が、短手長１１ｃの長さに対し０．５〜０．７倍程度（さらに好ましくは０．５５〜０．６５倍程度）となっていても良い。
【００４０】
このような場合であっても、同様の効果を得ることができる。
【符号の説明】
【００４１】
１０…枕、１１…袋状部材、１１ａ…突出長、１１ｂ…長手長、１１ｃ…短手長、１２…中心部、１３…長手部、１４…短手部、２０…ユーザ。
【図１】
2016002435.tif 000003
【図２】
2016002435.tif 000004
【図３】
2016002435.tif 000005